(57)【要約】      （修正有）【課題】紙等に熱消し筆記具によって記載された文字等を自動的に簡易迅速に消すことができるとともにムラ無く均一に消すことができる。特に、回覧する書類の文面を、熱消し筆記具によって記載すれば、この筆記具用字消し装置によって簡易迅速に消すことができるため、紙を繰り返し使用することができ、資源の無駄遣いを防止できる。【解決手段】シート通過路４０はシート挿入口１１とシート排出口１３との間に配置され、シート送り手段２０，３０はこのシート通過路にシートを送るように配置され、加熱手段５０はシート通過路の途中にこの通過路から適宜間隔を介して配置されている。シート挿入口から挿入されたシートはシート送り手段によってシート通過路を送られながら加熱手段によって加熱され、シート排出口から排出される筆記具用字消し装置である。【選択図】図２
0003131707.tif 000002
【実用新案登録請求の範囲】
【請求項１】
フレームにスリット状のシート挿入口とスリット状のシート排出口とシート通過路とシート送り手段と加熱手段とを設け、前記シート通過路は前記シート挿入口と前記シート排出口との間に配置され、前記シート送り手段は前記シート通過路にシートを送るように配置され、前記加熱手段は前記シート通過路の途中にこの通過路から適宜間隔を介して配置され、前記シート挿入口から挿入されたシートは前記シート送り手段によってシート通過路を送られながら前記加熱手段によって加熱され、前記シート排出口から排出されることを特徴とする筆記具用字消し装置。
【請求項２】
前記加熱手段として熱風を採用することを特徴とする請求項１の筆記具用字消し装置。
【考案の詳細な説明】
【技術分野】
【０００１】
この考案は字消し装置に関するものであり、加熱によって無色になるインクを使用して記載された文字，図形等を簡易に消す場合に使用されるものである。
【背景技術】
【０００２】
加熱によって無色になるインクは存在する。このインクを使用した筆記具（以下「熱消し筆記具」と記す）によって記載された文字等を消す場合、従来にあっては、文字等の記載された紙面を消しゴム等によって擦り、その際発生する摩擦熱によって消していた。
【０００３】
【特許文献１】特開２００１−１７１２１３号公報
【考案の開示】
【考案が解決しようとする課題】
【０００４】
しかしながら、従来におけるこの種の字消し方法においては、文字等の記載された紙面全体を線状に繰り返し擦らねばならないため、作業者にとって手間がかかり、又、作業者の力の入れ方や作業方法などによって均一に消しにくく、この結果消し跡にムラが発生しやすいという不都合を有した。
この考案の課題はかかる不都合を解消することである。
【課題を解決するための手段】
【０００５】
上記課題を達成するために、この考案に係る筆記具用字消し装置においては、フレームにスリット状のシート挿入口とスリット状のシート排出口とシート通過路とシート送り手段と加熱手段とを設け、前記シート通過路は前記シート挿入口と前記シート排出口との間に配置され、前記シート送り手段は前記シート通過路にシートを送るように配置され、前記加熱手段は前記シート通過路の途中にこの通過路から適宜間隔を介して配置され、前記シート挿入口から挿入されたシートは前記シート送り手段によってシート通過路を送られながら前記加熱手段によって加熱され、前記シート排出口から排出されるものである。
【０００６】
この場合、加熱手段として熱風を採用すれば、紙面を傷つけることなく効率的に字消しすることができる。
【考案の効果】
【０００７】
この考案に係る筆記具用字消し装置は、上記のように構成されているため、即ち、フレームにスリット状のシート挿入口とスリット状のシート排出口とシート通過路とシート送り手段と加熱手段とを設け、前記シート通過路は前記シート挿入口と前記シート排出口との間に配置され、前記シート送り手段はこの前記シート通過路にシートを送るように配置され、前記加熱手段は前記シート通過路の途中にこの通過路から適宜間隔を介して配置され、前記シート挿入口から挿入されたシートは前記シート送り手段によってシート通過路を送られながら前記加熱手段によって加熱され、前記シート排出口から排出されるものであるため、
熱消し筆記具によって文字等が記載された紙等を、このシート挿入口から挿入すれば、自動的にシート通過路を送られながら加熱手段によって全面的に均一に加熱され、文字等が消された状態でシート排出口から排出される。  
【０００８】
よって、この筆記具用字消し装置を使用すれば、紙等に熱消し筆記具によって記載された文字等を自動的に簡易迅速に消すことができるとともにムラ無く均一に消すことができるものである。
【０００９】
特に、回覧する書類の文面を、熱消し筆記具によって記載すれば、この筆記具用字消し装置によって簡易迅速に消すことができるため、紙を繰り返し使用することができ、資源の無駄遣いを防止できる。なお、熱消し筆記具以外によって記載された部分は、この字消し装置によっては消すことができないため、繰り返し使用される文面は、通常の筆記具又は印刷（熱消し筆記具以外のもの）によって記載すれば良いものである。
【００１０】
この場合、加熱手段として熱風を採用すれば、紙面を傷つけることなく効率的に字消しすることができる。
【考案を実施するための最良の形態】
【００１１】
フレームにスリット状のシート挿入口とスリット状のシート排出口とシート通過路とシート送り手段と加熱手段とを設けた。シート通過路はシート挿入口とシート排出口との間に配置されている。シート送り手段はシート通過路にシートを送るように配置されている。加熱手段はシート通過路の途中にこの通過路から適宜間隔を介して配置されている。この加熱手段は熱プレート又は温風ヒーターで６０°Ｃ位に発熱するのがよい。シート挿入口から挿入されたシートはシート送り手段によってシート通過路を送られながら加熱手段によって加熱され、シート排出口から排出されるようになっている。
【００１２】
以下、この考案の実施例を説明する。
【００１３】
図１はこの考案に係る筆記具用字消し装置の斜視図、図２は図１におけるII-II 線断面図である。
【００１４】
図１および図２において、Ａは筆記具用字消し装置であり、10はそのフレームである。このフレーム10は函状であり、樹脂成形等によって一体的に形成されている。
【００１５】
11はシート挿入口であり、前記フレーム10の上面に横方向に向かってスリット状に形成されている。このシート挿入口11は、熱消し筆記具によって文字等が記載された紙Ｐ等を挿入する部分である。なお、ここに、熱消し筆記具によって文字等が記載された紙Ｐ等とは、記載した後でも約６０°Ｃに加熱した場合に無色になるインクを使用した筆記具によって文字等の記載された紙等のことである。
【００１６】
12はシートフィーダーであり、前記シート挿入口11に着脱可能に設置されている。このシートフィーダー12は複数の紙（熱消し筆記具によって文字等が記載された紙等）Ｐを重ねて保持し、引込みローラー121 の回転によって一枚づつ前記シート挿入口11から挿入する。なお、この引込みローラー121 はセンサー122 が紙Ｐを感知すると回転する。
【００１７】
また、13はシート排出口であり、前記フレーム10の前面に横方向に向かってスリット状に形成されている。このシート排出口13を介して文字等の消された紙等Ｅがフレーム10から排出される。14はシートホルダーであり、前記シート排出口13の下部に着脱可能に嵌挿されている。このシートホルダー14は、シート排出口13から排出された文字等の消された紙Ｅ等を一時的に保持しておくためのものである。
【００１８】
次に、図２において、20,20 は一対の送りローラーであり、前記フレーム10内に軸21,21 を介して回転可能に設置されている。これらの送りローラー20,20 は図面上垂直方向に延びており、電動機Ｍによって駆動され、互いに逆方向に回転する (それぞれの矢印方向を参照のこと）。なお、この電動機Ｍの電源およびスイッチは通常の方法であり図示することは省略する。
これらの一対の送りローラー20,20 の間に、前記シートフィーダー12からの紙（熱消し筆記具によって文字等が記載された紙等）Ｐが供給され、挟んだ状態で内側に回転することにより、この紙Ｐを後方に向かって送り出す。
【００１９】
30,30 は移送ローラーであり、前記フレーム10内において、前記送りローラー20,20 の下流側の下方に軸31,31 を介して設置されている。これらの移送ローラー30,30 も図面上垂直方向に延びている。これらの一対の移送ローラー30,30 は前記送りローラー20,20 とともに前記電動機Ｍによって駆動されるが、その回転方向は互いに逆方向である（矢印参照のこと）。そして、これらの一対の移送ローラー30,30 間に、前記一対の送りローラー20,20 から後方に向かって送り出された紙Ｐが供給され、挟んだ状態で互いに内側に回転することにより、この紙Ｐを後方に向かって送り出す。
前記送りローラー20,20 及びこの移送ローラー30,30 の構成がこの考案の「シート送り手段」に相当する。
【００２０】
40は主ガイド板であり、前記フレーム10内に一体成形されている。この主ガイド板40も図面上垂直方向に延びており、前記一対の移送ローラー30,30 の接触部の下流側から、前記シート排出口13の下端縁にまで延設されている。このため、前記移送ローラー30,30 の間を通過した紙（文字等の消された紙）Ｅはこの主ガイド板40に沿って前記シート排出口13まで滑らかに送られる。
【００２１】
前記シート挿入口11から前記一対の送りローラー20,20 の隙間および前記一対の移送ローラー30,30 の間を通過し、この主ガイド板40に沿って、この考案の「シート通過路」が構成されている。
【００２２】
なお、41は補助ガイド板であり、前記フレーム10における前記主ガイド板40の上方に略平行に設置されている。この補助ガイド板41は、前記主ガイド板40に沿って前記シート排出口13にまで送られる紙等Ｐが詰まらないで滑らかに流れるように補助している。
【００２３】
次に、50に加熱プレート装置（この考案の「加熱手段」に相当する）であり、前記フレーム10内における前記送りローラー20,20 の接触部と前記一対の移送ローラー30,30 の接触部との間における略下方側に設置されている。この加熱プレート装置50は略板状であり、図面上垂直方向に延びており、上方を通過する紙Ｐ方向に向かって、加熱する。この場合、上方を通過する紙Ｐの両面を加熱することもできる。この加熱プレート装置50は通常使用される電気式のものであり、電源の説明については省略する。加熱プレート装置50の代わりに、温風加熱装置を使用することもできる。いずれの場合にも、約６０°Ｃ位の熱を上方を通過する紙Ｐ方向に供給することができるものが望ましい。なお、仮装線で示したように、通過する紙Ｐの上方側に加熱プレート装置50又は温風加熱装置を設置することもできる。
【００２４】
なお、前記加熱プレート装置（又は温風加熱装置）50の電源スイッチは前記送りローラー20及び前記移送ローラー30の電源スイッチと共通化しても良いし、独立させてもよい。
【００２５】
このように構成される筆記具用字消し装置は次のように使用される。
【００２６】
まず、電源スイッチを入れ、前記加熱プレート装置50を作動させるとともに前記電動機Ｍを駆動させて前記送りローラー20,20 と前記送りローラー30,30 とを各々矢印方向に回転させる。
【００２７】
この状態で、熱消し筆記具によって文字等が記載された紙Ｐを、前記シート挿入口11から一枚ずつ挿入する。挿入された紙Ｐは前記一対の送りローラー20,20 の間に供給され、挟まれた状態で引きずり込まれ後方に向かって送られる。前記一対の送りローラー20,20 によって送り込まれた紙Ｐは、前記加熱プレート装置50の上方を通過する。このとき、加熱プレート装置50から、紙面全体（両面全体）が加熱される。このため、紙Ｐの文字等は移動しながら、消される。そして、文字等の消された紙Ｅは、前記一対の移送ローラー30,30 に挟まれ、その回転力で後方に向かって送り出され、主ガイド板40に沿って前記シート排出口13まで滑らかに送られる。そして、前記シート排出口13から排出される。  
【００２８】
前記シートフィーダー12を使用すれば、複数（２０〜３０枚）の熱消し筆記具によって文字等が記載された紙Ｐ等を連続的に高速度で能率良く、処理することができる。
【００２９】
なお、この実施例では、「シート送り手段」として、送りローラー20,20 と移送ローラー30,30 の構造を使用したがこれに限られるものではなく、その機能を発揮できるものである限りすべてのものが含まれる。
【００３０】
また、「シート通過路」として、前記シート挿入口11から前記一対の送りローラー20,20 の接触部および前記一対の移送ローラー30,30 の接触部を通過し、この主ガイド板40に沿ってのものを使用したが、これに限られるものではなく、その機能を発揮できるものである限りすべてのものが含まれる。
【００３１】
また、「加熱手段」として、加熱プレート装置を使用したが、これに限られるものではなく、その機能を発揮できるものである限りすべてのものが含まれる。
【産業上の利用可能性】
【００３２】
紙等に熱消し筆記具によって記載された文字等を自動的に簡易迅速に消すことができるとともにムラ無く均一に消すことができる。このため、特に、回覧する書類の文面を、熱消し筆記具によって記載すれば、紙を繰り返し使用することができる結果、資源の無駄遣いの防止に利用できるものである。
【図面の簡単な説明】
【００３３】
【図１】図１はこの考案に係る筆記具用字消し装置の斜視図である。
【図２】図２は図１におけるII-II 線断面図である。
【符号の説明】
【００３４】
Ａ  …  筆記具用字消し装置
Ｐ  …  熱消し筆記具によって文字等が記載された紙等
Ｅ  …  文字等の消された紙
10  …  フレーム
11  …  シート挿入口
12  …  シートフィーダー
121 …  引き込みローラー
122 …  センサー
13  …  シート排出口
14  …  シートホルダー
20  …  送りローラー（シート送り手段）
21  …  軸
30  …  移送ローラー（シート送り手段）
31  …  軸  
40  …  主ガイド板（シート通過路）
41  …  補助ガイド板
50  …  加熱プレート装置（加熱手段）
【図１】
0003131707.tif 000003
【図２】
0003131707.tif 000004